(57)【要約】【課題】一般電話と移動端末の通話を安価にできると共に、その移動端末の呼び出しに応答が無ければ手間無く容易に携帯電話への呼び出しに切り替える移動端末呼び出し方法及び装置を提供することを課題とする。【解決手段】移動端末６０と通信網４０を介して接続し、携帯電話６１と回線交換網２０を介して接続する制御装置３０は一般電話１０と接続しており、前記制御装置３０は、所定の携帯電話６１の電話番号と所定の移動端末６０のアドレスを対応付けて記憶しており、前記一般電話１０からの前記所定の携帯電話６１への呼び出しを前記所定の移動端末６０への呼び出しへ切り替える。【選択図】        図１
2005012533.tif 000002
【特許請求の範囲】
【請求項１】
電話番号を使用した移動端末の呼び出し方法であって、
移動端末と通信網を介して接続し、携帯電話と回線交換網を介して接続する制御装置は一般電話と接続しており、
前記制御装置は、所定の携帯電話の電話番号と所定の移動端末のアドレスを対応付けて記憶しており、前記一般電話からの前記所定の携帯電話への呼び出しを前記所定の移動端末への呼び出しへ切り替える、移動端末呼び出し方法。
【請求項２】
電話番号を使用した移動端末の呼び出し方法であって、
移動端末と通信網を介して接続し、携帯電話と回線交換網を介して接続する制御装置は一般電話と接続しており、
前記制御装置は、前記一般電話から前記所定の携帯電話への呼び出しを受け付けると、前記通信網と接続する管理装置から前記所定の携帯電話の電話番号に対応付いた所定の移動端末のアドレスを受信し、前記一般電話からの前記所定の携帯電話への呼び出しを前記所定の移動端末への呼び出しへ切り替える、移動端末呼び出し方法。
【請求項３】
前記制御装置は、前記移動端末への呼び出し中の呼出回数が所定の呼出回数になると、もしくは前記呼び出し中の呼出時間が所定の呼出時間以上になると、前記所定の携帯電話への呼び出しへ切り替える、請求項１〜２のいずれかに記載の移動端末呼び出し方法。
【請求項４】
電話番号を使用した移動端末の呼び出し方法であって、
移動端末と通信網を介して接続し、携帯電話と回線交換網を介して接続する制御装置は一般電話と接続しており、
前記制御装置は、所定の携帯電話の電話番号と所定の複数の移動端末のアドレスを対応付けて記憶しており、前記一般電話からの前記所定の携帯電話への呼び出しを前記所定の複数の移動端末への呼び出しへ切り替える、移動端末呼び出し方法。
【請求項５】
電話番号を使用した移動端末の呼び出し方法であって、
移動端末と通信網を介して接続し、携帯電話と回線交換網を介して接続する制御装置は一般電話と接続しており、
前記制御装置は、前記一般電話から前記所定の携帯電話への呼び出しを受け付けると、前記通信網と接続する管理装置から前記所定の携帯電話の電話番号に対応付いた所定の複数の移動端末のアドレスを受信し、前記一般電話からの前記所定の携帯電話への呼び出しを前記所定の複数の移動端末への呼び出しへ切り替える、移動端末呼び出し方法。
【請求項６】
前記所定の複数の移動端末の呼び出し順序を予め決定しておき、１つの移動端末への呼び出し中の呼出回数が所定の呼出回数になると、もしくは前記呼び出し中の呼出時間が所定の呼出時間以上になると、前記呼び出し順序に基づいて次の移動端末への呼び出しへと切り替えていく、請求項４〜５のいずれかに記載の移動端末呼び出し方法。
【請求項７】
前記制御装置は、前記所定の複数の移動端末のうち呼び出し順序が最後の移動端末への呼び出し中の呼出回数が所定の呼出回数になると、もしくは前記呼び出し中の呼出時間が所定の呼出時間以上になると、前記所定の携帯電話への呼び出しへ切り替える、請求項６に記載の移動端末呼び出し方法。
【請求項８】
前記一般電話と前記所定の移動端末の通話中において、
前記制御装置は、前記移動端末から所定の信号を受信すると前記所定の携帯電話への呼び出しへ切り替える、請求項１〜７のいずれかに記載の移動端末呼び出し方法。
【請求項９】
請求項１〜８のいずれかに記載の移動端末呼び出し方法を使用する移動端末呼び出し装置。
【発明の詳細な説明】
【０００１】
【発明の属する技術分野】
本発明は、所定の携帯電話の加入者番号、いわゆる電話番号で所定の移動端末を呼び出す移動端末呼び出し方法及び装置に関する。
【０００２】
【従来の技術】
従来より、一般電話１０（例えば、家庭用一般電話、事業所用一般電話等）及び携帯電話は、発着信の際、数字からなる電話番号で他の電話機と識別しており、一方、移動端末や無線ＩＰ端末などの電話網系以外の移動端末（例えば、ＰＤＡ、無線ＩＰ電話機等）６０は発着信の際、主として英数字からなるアドレスで他の移動端末６０と識別していた。そのため、例えばＡ氏が一般電話１０からでも入力が可能な電話番号を入力することによって、Ｂ氏の所有する移動端末６０を呼び出してＢ氏と通話する場合、次のようにしていた。
移動端末６０には、従来のアドレスに加え所定の電話番号が予め与えられている。また、回線交換網２０と通信網４０（例えば、インタネット、ＩＰ網等）を接続するいわゆるゲートウェイである制御装置３０には、移動端末６０に与えられた所定の電話番号と前記移動端末６０のアドレスとを対応づけた変換テーブルが用意されている。
一方、回線交換網２０は、発信元である一般電話１０から選択信号（着信先の電話番号情報）を受信したとき、その選択信号が通信網４０と接続すべきことを示す信号である場合、そのことを認知することができるとともに、制御装置３０と接続して該選択信号を制御装置３０に送信することができる構成である。
以上の前提条件において、移動端末６０に与えられている所定の電話番号（例えば、０５０−○○○○−××××）を一般電話１０にダイヤル（入力）して発呼された場合、回線交換網２０は、制御装置３０と接続するとともに、該電話番号を制御装置３０に送信する。制御装置３０は、前記変換テーブルを基に、該電話番号を、対応する移動端末６０のアドレス（例えば、△△△＠□□□）に変換し、中継局５０を介して前記移動端末６０を呼び出し、前記移動端末６０との接続を確立する。これにより、一般電話１０と移動端末６０との接続が確立されたこととなる。以降、両者間でデータ通信又は音声通信を行なうことができる。
このようにして、Ａ氏は、Ｂ氏の所有する移動端末６０を、一般電話１０から電話番号を入力することによって、呼び出してＡ氏とＢ氏の間で通話が成立していた。
しかし、前記Ｂ氏が前記移動端末６０を所持し忘れ（例えば、家に置き忘れ）などのため、前記Ｂ氏の所有する移動端末６０に応答が無い場合は、引き続いてＡ氏は一般電話１０からＢ氏の所有する携帯電話６１の電話番号（例えば、０９０−○○○○−××××）をダイヤル（入力）し回線交換網２０を介して中継局５１によってＢ氏の所有する携帯電話６１を呼び出していた。
【０００３】
【特許文献１】
特開２００２−２４７６４７
【０００４】
【発明が解決しようとする課題】
上記従来例では、Ｂ氏の所有する移動端末６０と携帯電話６１には個別に電話番号が割り付けられている。そのため、例えばＡ氏が一般電話１０からＢ氏の所有する移動端末６０を呼び出したが応答が無いため、引き続いてＡ氏が一般電話１０からＢ氏の所有する携帯電話６１を呼び出す場合には、Ａ氏は一般電話１０からＢ氏の所有する携帯電話６１の電話番号を再度ダイヤル（入力）しないといけないため手間であった。またＡ氏が一般電話１０からＢ氏の所有する移動端末６０を呼び出してＢ氏と通話が成立しても、この通話には回線交換網２０と通信網４０による通信回線を介するために回線交換網２０と通信網４０による回線の料金が必要であった。
本発明は、このような点に鑑みて創案されたものであり、一般電話と移動端末の通話を安価にできると共に、その移動端末の呼び出しに応答が無ければ手間無く容易に携帯電話への呼び出しに切り替える移動端末呼び出し方法及び装置を提供することを課題とする。
【０００５】
【課題を解決するための手段】
上記課題を解決するための手段として、本発明の第１発明は、請求項１に記載されたとおりの移動端末呼び出し方法である。
請求項１に記載の移動端末呼び出し方法は、通信網と接続する、すなわち通信網にアクセス可能な制御装置は、所定の携帯電話の電話番号（例えば、０９０−○○○○−××××）と所定の移動端末のアドレス（例えば、△△△＠□□□）を対応付けて記憶している。そして前記制御装置は、前記制御装置と接続する一般電話からの前記所定の携帯電話への呼び出しを前記移動端末への呼び出しへ切り替えて前記移動端末を呼び出している。このようにして、前記制御装置は前記所定の携帯電話の電話番号を使用して前記移動端末を呼び出すことができる。
また本発明の第２発明は、請求項２に記載されたとおりの移動端末呼び出し方法である。
請求項２に記載の移動端末呼び出し方法は、通信網と接続する、すなわち通信網にアクセス可能な管理装置は、所定の携帯電話の電話番号（例えば、０９０−○○○○−××××）と所定の移動端末のアドレス（例えば、△△△＠□□□）を対応付けて記憶している。そして前記制御装置は前記通信網と接続しており、前記制御装置と接続する一般電話からの前記所定の携帯電話への呼び出しを受けると、前記通信網を介して前記管理装置に対して前記所定の携帯電話の電話番号に対応する所定の移動端末のアドレスの送信を依頼する。そして管理装置は前記依頼に基づき制御装置へ所定の携帯電話の電話番号に対応する所定の移動端末のアドレスを送信する。制御装置は管理装置から受信したアドレスに基づいて、そのアドレスを付してある所定の移動端末を呼び出している。このようにして前記制御装置は前記所定の携帯電話の電話番号を使用して前記移動端末を呼び出すことができる。
また本発明の第３発明は、請求項３に記載されたとおりの移動端末呼び出し方法である。
請求項３に記載の移動端末呼び出し方法では、制御装置は所定の移動端末を呼び出し中に呼出回数が所定の呼出回数になると、もしくは前記呼び出し中の呼出時間が所定の呼出時間以上になると、所定の携帯電話への呼び出しへ切り替える。これにより発信者は所望する着信者の移動端末を呼び出して応答しない（呼び出し中で繋がらない）場合でも、再度ダイヤル入力せずに前記所望する着信者の携帯電話を呼び出すことができる。
また本発明の第４発明は、請求項４に記載されたとおりの移動端末呼び出し装置である。
請求項４に記載の移動端末呼び出し方法は、通信網と接続する、すなわち通信網にアクセス可能な制御装置は、所定の携帯電話の電話番号（例えば、０９０−○○○○−××××）と所定の複数の移動端末のアドレス（例えば、△△１＠□□□、△△２＠□□□、…、△△ｎ＠□□□等）を対応付けて記憶している。
そして前記制御装置は、前記制御装置と接続する一般電話からの前記所定の携帯電話への呼び出しを前記複数の移動端末への呼び出しへ切り替えて前記複数の移動端末を呼び出している。このようにして、前記制御装置は前記所定の携帯電話の電話番号を使用して前記複数の移動端末を呼び出すことができる。
また本発明の第５発明は、請求項５に記載されたとおりの移動端末呼び出し方法である。
請求項５に記載の移動端末呼び出し方法は、通信網と接続する、すなわち通信網にアクセス可能な管理装置は、所定の携帯電話の電話番号（例えば、０９０−○○○○−××××）と所定の複数の移動端末のアドレス（例えば、△△△＠□□□、△△２＠□□□、…、△△ｎ＠□□□等）を対応付けて記憶している。
そして前記制御装置は前記通信網と接続しており、前記制御装置と接続する一般電話からの前記所定の携帯電話への呼び出しを受けると、前記通信網を介して前記管理装置に対して前記所定の携帯電話の電話番号に対応する所定の複数の移動端末のアドレスの送信を依頼する。そして管理装置は前記依頼に基づき制御装置へ所定の携帯電話の電話番号に対応する所定の複数の移動端末のアドレスを送信する。制御装置は管理装置から受信した複数のアドレスに基づいて、そのアドレスを付してある所定の複数の移動端末を呼び出している。このようにして前記制御装置は前記所定の携帯電話の電話番号を使用して前記複数の移動端末を呼び出すことができる。
また本発明の第６発明は、請求項６に記載されたとおりの移動端末呼び出し方法である。
請求項６に記載の移動端末呼び出し方法では、所定の複数の移動端末の呼び出し順序を予め決定しておき、１つの移動端末への呼び出し中の呼出回数が所定の呼出回数になると、もしくは前記呼び出し中の呼出時間が所定の呼出時間以上になると、前記呼び出し順序に基づいて次の移動端末への呼び出しへと切り替えていく。このように制御装置は、複数の移動端末に対して予め決定の呼び出し順序に基づいて呼び出すことができる。
また本発明の第７発明は、請求項７に記載されたとおりの移動端末呼び出し方法である。
請求項７に記載の移動端末呼び出し方法では、制御装置は所定の複数の移動端末における呼び出し順序が最後の移動端末を呼び出し中に呼出回数が所定の呼出回数になると、もしくは前記呼び出し中の呼出時間が所定の呼出時間以上になると、所定の携帯電話への呼び出しへ切り替える。これにより発信者は所望する着信者の全ての移動端末を呼び出して応答しない（呼び出し中で繋がらない）場合でも、再度ダイヤル入力せずに前記所望する着信者の携帯電話を呼び出すことができる。
また本発明の第８発明は、請求項８に記載されたとおりの移動端末呼び出し方法である。
請求項８に記載の移動端末呼び出し方法では、一般電話と所定の移動端末の通話中において、制御装置は前記移動端末から所定の信号を受信すると前記所定の携帯電話への呼び出しへ切り替える。これにより、例えば前記移動端末の通話者が通話感度が悪いと感じた場合に前記移動端末に所定の入力を行えば、前記制御装置は前記移動端末から前記通話者が所有する携帯電話へ通話を切り替えることができる。
また本発明の第９発明は、請求項９に記載されたとおりの移動端末呼び出し方法である。
請求項９に記載の移動端末呼び出し装置は、上述した移動端末呼び出し方法を使用している。
【０００６】
【発明の実施の形態】
●［第１の実施の形態］
◆［全体構成］
本発明の実施の形態について図面を参照して説明する。なお、従来技術に記した各機器と同一作用の各機器は同一符号を付して説明を省略する。図１は、本発明の移動端末呼び出し方法を一般電話１０から移動端末６０への呼び出しに適用した一実施の形態のブロック図である。図１に記すように、一般電話１０は制御装置３０と電気的に接続している。そして前記制御装置３０は、回線交換網２０を介して中継局５１によって携帯電話６１と接続している。また同様に前記制御装置３０は、通信網４０を介して中継局５０によって移動端末６０と接続している。なお前記携帯電話６１は、自身に付された電話番号（例えば、０９０−○○○○−××××）で他の携帯電話６１と識別可能であり、同様に前記移動端末６０は、自身に付されたアドレス（例えば、△△△＠□□□）で他の移動端末６０と識別可能である。
【０００７】
◆［登録情報］
次に制御装置３０の記憶手段（図、符号無し）に記憶の登録情報について図２を参照して説明する。図２に記すように、制御装置３０の記憶手段は、登録情報として所定の携帯電話６１の電話番号と、所定の移動端末６０のアドレスと呼出回数を対応付けた変換テーブル（図、符号無し）を記憶している。
例えば、登録番号「Ｎｏ．１」は、登録者が「Ｂ氏」で電話番号が「０９０−○○○○−××××」でアドレスが「△△△＠□□□」で呼出回数が「１０」回である。同様に、登録番号「Ｎｏ．２」は、登録者が「Ｃ氏」で電話番号が「０９０−○○○○−△△△△」でアドレスが「×××＠□□□」で呼出回数が「８」回である。同様に、登録番号「Ｎｏ．３」は、登録者が「Ｄ氏」で電話番号が「０９０−○○○○−□□□□」でアドレスが「○○○＠□□□」で呼出回数が「１０」回である。このような登録情報が制御装置３０の記憶手段に記憶されている。そして制御装置３０は、この登録情報に記憶されている所定の電話番号のダイヤルを受け付けると、対応するアドレスへ対応する呼出回数まで呼び出す処理を行い、以降にその詳細を説明する。
【０００８】
◆［移動端末の呼び出し］
まず一般電話１０から移動端末６０を呼び出す方法について説明する。Ａ氏が一般電話１０からＢ氏の所有する移動端末６０を呼び出してＢ氏と通話する場合、例えば図１に記すように、まずＡ氏は一般電話１０からＢ氏の所有する携帯電話６１の電話番号（例えば、０９０−○○○○−××××）をダイヤル（入力）する。そして制御装置３０はＢ氏の所有する携帯電話６１の電話番号のダイヤルを受け付けると、そのダイヤルされた電話番号が予め自身の登録情報に記憶されている電話番号であるか否かを判断する。そして、制御装置３０はダイヤルされた電話番号が予め自身の登録情報に記憶されている電話番号であると判断すれば、その電話番号に対応付けられているアドレス（例えば、△△△＠□□□）を付している移動端末６０に対して通信網４０を介して中継局５０によって呼び出しを開始する。一方、制御装置３０はダイヤルされた電話番号が予め自身の登録情報に記憶されている電話番号でないと判断すれば、その電話番号に対して回線交換網２０を介して呼び出し（通常の呼び出し）する。
このように制御装置３０は、予め記憶している電話番号のダイヤルを受け付けると、その電話番号に対応する移動端末６０を呼び出すことができる。
【０００９】
◆［携帯電話の呼び出し］
次に一般電話１０から携帯電話６１を呼び出す方法について説明する。上述したようにＡ氏が一般電話１０からＢ氏の所有する移動端末６０を呼び出し、登録情報で設定された呼出回数（図２に記す例では、１０回）になるまで呼び出しても応答がなければ、制御装置３０はＢ氏の所有する移動端末６０の呼び出しからＢ氏の所有する携帯電話６１への呼び出しに切り替える。
このようにしてＡ氏は一般電話１０から再度Ｂ氏の所有する携帯電話６１の電話番号をダイヤルすることなくＢ氏の所有する携帯電話６１を手間無く容易に呼び出すことができる。
また、Ａ氏が一般電話１０からＢ氏の所有する移動端末６０を呼び出してＢ氏と通話中に、例えば通話感度が悪い状態もしくは前記移動端末６０の電池切れ寸前状態になることもある。その場合にはＢ氏は前記移動端末６０から所定の信号を制御装置３０へ送信する。この所定の信号とは、例えばＡ氏とＢ氏の通話状態中にＢ氏が前記移動端末６０の※ボタンを２回押すと前記制御装置３０へ送信する信号である。制御装置３０はＡ氏とＢ氏の通話状態中に前記移動端末６０から前記所定の信号を受信すれば、Ａ氏の一般電話１０へ所定の音声案内（例えば、「現在、携帯電話の呼び出しに切り替え中です」の音声案内）を行うと共に、Ｂ氏が通話をしていた移動端末６０の回線をＢ氏の所有する携帯電話６１の回線に切り替えて前記携帯電話６１の呼び出しを開始する。そして、Ｂ氏は前記携帯電話６１の呼び出しに応答すれば、前記Ａ氏の一般電話１０と通話が可能となる。
このようにしてＡ氏の一般電話１０とＢ氏の移動端末６０の通話中に、Ｂ氏は前記移動端末６０から自身の所有する携帯電話６１への通話に手間無く容易に切り替えてＡ氏の一般電話１０と通話することができる。
【００１０】
●［第２の実施の形態］
第２の実施の形態を第１の実施の形態と比較すると、第１の実施の形態は制御装置３０の記憶手段に登録情報を記憶する構成であるのに対して、第２の実施の形態は通信網４０と接続する管理装置７０の記憶手段に前記登録情報を記憶する構成であり、登録情報の記憶場所が異なる。
【００１１】
◆［全体構成］
第２の実施の形態の全体構成について図３を参照して説明する。第２の実施の形態の全体構成は、第１の実施の形態の全体構成と比較して通信網４０と電気的に接続する管理装置７０を備えている点が異なる。なお、その他の機器構成は、第１の実施の形態と同じであるために説明は省略する。
【００１２】
◆［登録情報］
管理装置７０の記憶手段（図、符号無し）に記憶の登録情報は、第１の実施の形態で説明した制御装置３０に記憶手段に記憶の登録情報と同じであるため説明は省略する。
【００１３】
◆［移動端末の呼び出し］
一般電話１０から移動端末６０を呼び出す方法について説明する。Ａ氏が一般電話１０からＢ氏の所有する移動端末６０を呼び出してＢ氏と通話する場合、例えば図３に記すように、まずＡ氏は一般電話１０からＢ氏の所有する携帯電話６１の電話番号（例えば、０９０−○○○○−××××）をダイヤル（入力）する。そして制御装置３０はＢ氏の所有する携帯電話６１の電話番号のダイヤルを受け付けると、制御装置３０は管理装置７０に対して前記管理装置７０の記憶手段に記憶しているＢ氏の所有する携帯電話６１の電話番号に対応した移動端末６０のアドレスと呼出回数に関する情報を通信網４０を介して依頼する。なお制御装置３０には、予め管理装置７０のアドレスと前記依頼に関する情報が記憶されている。管理装置７０は制御装置３０より前記依頼を受信すると、前記Ｂ氏の所有する携帯電話６１の電話番号が予め自身（管理装置７０）の登録情報に記憶されている電話番号であるか否かを判断する。そして、管理装置７０は前記Ｂ氏の所有する携帯電話６１の電話番号が予め自身（管理装置７０）の登録情報に記憶されている電話番号であると判断すれば、その電話番号に対応付けて記憶しているアドレス（例えば、△△△＠□□□）と呼出回数（例えば、１０回）に関する情報を通信網４０を介して制御装置３０へ送信する。このようにして制御装置３０は管理装置７０からＢ氏の携帯電話６１の電話番号に対応付いたＢ氏の移動端末６０のアドレスを受信でき、制御装置３０は、その受信したアドレス（例えば、△△△＠□□□）の移動端末６０、即ちＢ氏の移動端末６０に対して通信網４０を介して中継局５０によって呼び出しを開始する。一方、管理装置７０は前記Ｂ氏の所有する携帯電話６１の電話番号が予め自身（管理装置７０）の登録情報に記憶されている電話番号でないと判断すれば、管理装置７０は前記電話番号の記憶が無い旨を制御装置３０へ連絡（送信）する。そして制御装置３０は、その電話番号に対して回線交換網２０を介して呼び出し（通常の呼び出し）する。
このように制御装置３０は、管理装置７０が予め記憶している電話番号のダイヤルを受け付けると、その電話番号に対応する移動端末６０を呼び出すことができる。
【００１４】
◆［携帯電話の呼び出し］
一般電話１０から携帯電話６１を呼び出す方法については、第２の実施の形態でも第１の実施の形態と同じであるため説明は省略する。
【００１５】
上述した第２の実施の形態のように、管理装置７０が所定の携帯電話６１の電話番号に対応する所定の移動端末６０のアドレスと呼出回数を記憶し管理する構成であれば、制御装置３０が設置されている場所（例えば、各家庭、各会社等）に出向かなくても、前記所定の携帯電話６１の電話番号の変更や前記所定の移動端末６０のアドレスもしくは呼出回数の変更等にも容易に対応可能である。
【００１６】
●［第３の実施の形態］
第３の実施の形態を第１の実施の形態と比較すると、第１の実施の形態は１台の所定の携帯電話６１の電話番号に対応付けて１台の所定の移動端末６０のアドレスと呼出回数が制御装置３０に記憶されている構成に対し、第３の実施の形態は１台の所定の携帯電話６１の電話番号に対応付けて複数台の所定の移動端末６０のアドレスと呼出回数が制御装置３０に記憶されている構成である。
【００１７】
◆［全体構成］
第３の実施の形態の全体構成について図４を参照して説明する。第３の実施の形態の全体構成は、第１の実施の形態の全体構成と比較して移動端末６０の台数が複数台である点が異なる。なお、その他の機器構成は、第１の実施の形態と同じであるために説明は省略する。
【００１８】
◆［登録情報］
次に制御装置３０の記憶手段（図、符号無し）に記憶の登録情報について図５を参照して説明する。図５に記すように、制御装置３０の記憶手段は、登録情報として１台の所定の携帯電話６１の電話番号と、複数台（図５に記す例えば、ｎ台）の所定の移動端末６０のアドレスと呼出回数を対応付けた変換テーブル（図、符号無し）を記憶している。
例えば、登録番号「Ｎｏ．１」は、登録者が「Ｂ」氏で電話番号が「０９０−○○○○−××××」で第１アドレスが「△△１＠□□□」で呼出回数が「１０」回であり、第２アドレスが「△△２＠□□□」で呼出回数が「１０」回であり、・  ・  ・、第ｎアドレスが「△△ｎ＠□□□」で呼出回数が「８」回である。同様に、登録番号「Ｎｏ．２」は、登録者が「Ｃ」氏で電話番号が「０９０−○○○○−△△△△」で第１アドレスが「××１＠□□□」で呼出回数が「８」回であり、第２アドレスが「××２＠□□□」で呼出回数が「８」回であり、・・  ・、第ｎアドレスが「××ｎ＠□□□」で呼出回数が「８」回である。同様に、登録番号「Ｎｏ．３」は、登録者が「Ｄ」氏で電話番号が「０９０−○○○○−□□□□」で第１アドレスが「○○１＠□□□」で呼出回数が「１０」回であり、第２アドレスが「○○２＠□□□」で呼出回数が「９」回であり、第ｎアドレスが「○○ｎ＠□□□」で呼出回数が「１０」回である。このような登録情報が制御装置３０の記憶手段に記憶されている。そして制御装置３０は、この登録情報に記憶されている所定の電話番号のダイヤルを受け付けると、対応する第１アドレスから第ｎアドレスまでのアドレスを順番に対応する呼出回数まで呼び出す処理を行い、以降にその詳細を説明する。
【００１９】
◆［移動端末の呼び出し］
まず一般電話１０から移動端末６０を呼び出す方法について説明する。Ａ氏が一般電話１０からＢ氏が所有するｎ台の移動端末６０を順番に呼び出してＢ氏と通話する場合、例えば図４に記すように、まずＡ氏は一般電話１０からＢ氏の所有する携帯電話６１の電話番号（例えば、０９０−○○○○−××××）をダイヤル（入力）する。そして制御装置３０はＢ氏の所有する携帯電話６１の電話番号のダイヤルを受け付けると、そのダイヤルされた電話番号が予め自身の登録情報に記憶されている電話番号であるか否かを判断する。そして、制御装置３０はダイヤルされた電話番号が予め自身の登録情報に記憶されている電話番号であると判断すれば、その電話番号に対応付けられている第１アドレス（図５に記す例では、△△１＠□□□）を付している移動端末６０に対して通信網４０を介して中継局５０によって呼び出しを開始する。そして制御装置３０は前記第１アドレスを付した移動端末６０を呼び出して、登録情報で設定された呼出回数（図５に記す例では、１０回）になるまで呼び出しても応答がなければ、制御装置３０は第２アドレス（図５に記す例では、△△２＠□□□）を付している移動端末６０に対して通信網４０を介して中継局５０によって呼び出しを開始する。そして制御装置３０は前記第２アドレスを付した移動端末６０を呼び出して、登録情報で設定された呼出回数（図５に記す例では、１０回）になるまで呼び出しても応答がなければ、以降同様に繰り返し制御装置３０は第ｎアドレス（図５に記す例では、△△ｎ＠□□□）を付している移動端末６０に対して通信網４０を介して中継局５０によって呼び出しを開始する。そして制御装置３０は前記第ｎアドレスを付した移動端末６０を呼び出して、登録情報で設定された呼出回数（図５に記す例では、８回）になるまで呼び出しする。一方、制御装置３０はダイヤルされた電話番号が予め自身の登録情報に記憶されている電話番号でないと判断すれば、その電話番号に対して回線交換網２０を介して呼び出し（通常の呼び出し）する。
このように制御装置３０は、予め記憶している電話番号のダイヤルを受け付けると、その電話番号に対応する複数台の移動端末６０を順番に呼び出すことができる。
【００２０】
◆［携帯電話の呼び出し］
次に一般電話１０から携帯電話６１を呼び出す方法について説明する。上述したようにＡ氏が一般電話１０からＢ氏の所有する第１アドレスを付した移動端末６０から第ｎアドレスを付した移動端末６０まで全ての移動端末６０を呼び出しても応答がなければ、制御装置３０はＢ氏の所有する移動端末６０の呼び出しからＢ氏の所有する携帯電話６１への呼び出しに切り替える。
このようにしてＡ氏は一般電話１０から再度Ｂ氏の所有する携帯電話６１の電話番号をダイヤルすることなくＢ氏の所有する携帯電話６１を手間無く容易に呼び出すことができる。
また、Ａ氏が一般電話１０からＢ氏の所有する移動端末６０を呼び出してＢ氏と通話中に、例えば通話感度が悪い状態もしくは前記移動端末６０の電池切れ寸前状態になることもある。その場合にはＢ氏は前記移動端末６０から所定の信号を制御装置３０へ送信する。この所定の信号とは、例えばＡ氏とＢ氏の通話状態中にＢ氏が前記移動端末６０の※ボタンを２回押すと前記制御装置３０へ送信する信号である。制御装置３０はＡ氏とＢ氏の通話状態中に前記移動端末６０から前記所定の信号を受信すれば、Ａ氏の一般電話１０へ所定の音声案内（例えば、「現在、携帯電話の呼び出しに切り替え中です」の音声案内）を行うと共に、Ｂ氏が通話をしていた移動端末６０の回線をＢ氏の所有する携帯電話６１の回線に切り替えて前記携帯電話６１の呼び出しを開始する。そして、Ｂ氏は前記携帯電話６１の呼び出しに応答すれば、前記Ａ氏の一般電話１０と通話が可能となる。このようにしてＡ氏の一般電話１０とＢ氏の移動端末６０の通話中に、Ｂ氏は前記移動端末６０から自身の所有する携帯電話６１への通話に手間無く容易に切り替えてＡ氏の一般電話１０と通話することができる。
【００２１】
上述した第３の実施の形態のように、制御装置３０が１台の所定の携帯電話６１の電話番号に対応して複数台の所定の移動端末６０のアドレスと呼出回数を記憶し管理する構成であれば、以下に記す効果を奏する。例えば、Ｂ氏が複数台の移動端末６０を所有し、それぞれの移動端末６０を仕事用、家庭用、プライベート用、…、と使い分けしており、Ｂ氏は仕事では仕事用の移動端末６０のみを所持し、家庭では家庭用の移動端末６０のみを所持し、プライベートではプライベート用の移動端末６０のみを所持し、Ｂ氏は目的に合わせて対応する移動端末６０のみを所持しているとする。そのためＡ氏が一般電話１０から、Ｂ氏の所有する移動端末６０を呼び出して通話したい場合、Ａ氏は、現在Ｂ氏が仕事用、家庭用、プライベート用、…等、どの移動端末６０を所持しているか不明である。このような場合、Ｂ氏は常時少なくとも１つの移動端末６０を所持しているため、Ａ氏がＢ氏と通話したい場合は、Ａ氏が一般電話１０からＢ氏の所有する携帯電話６１の電話番号を入力すれば、制御装置３０はＢ氏の所有する全ての移動端末６０を順番に呼び出していくため、Ａ氏はＢ氏を呼び出し通話できる。上述したＢ氏のように、複数台の移動端末６０を使い分けしている場合に、制御装置３０が１台の携帯電話６１の電話番号に対し複数台の移動端末６０のアドレスと呼出回数を記憶する移動端末呼び出し方法では、Ａ氏は一般電話１０からの１度のダイヤル（入力）操作のみでＢ氏の所有する複数の移動端末６０を呼び出せるという利点がある。
【００２２】
●［第４の実施の形態］
第４の実施の形態は第１の実施の形態と比較すると、第１の実施の形態は１台の所定の携帯電話６１の電話番号に対応付けて１台の所定の移動端末６０のアドレスと呼出回数を制御装置３０の記憶手段に記憶する構成に対し、第４の実施の形態は１台の所定の携帯電話６１の電話番号に対応付けて複数台の所定の移動端末６０のアドレスと呼出回数を通信網４０と接続する管理装置７０の記憶手段に記憶する構成である。即ち第４の実施の形態は、第２の実施の形態と第３の実施の形態を組み合わせた形態である。
【００２３】
◆［全体構成］
第４の実施の形態の全体構成について図６を参照して説明する。第４の実施の形態の全体構成は、第１の実施の形態の全体構成と比較して通信網４０と電気的に接続する管理装置７０を備えている点と移動端末６０の台数が複数台である点が異なる。なお、その他の機器構成は、第１の実施の形態と同じであるために説明は省略する。
【００２４】
◆［登録情報］
管理装置７０の記憶手段（図、符号無し）に記憶の登録情報は、第３の実施の形態で説明した制御装置３０に記憶手段に記憶の登録情報と同じであるため説明は省略する。
【００２５】
◆［移動端末の呼び出し］
一般電話１０から移動端末６０を呼び出す方法は、第２の実施の形態で説明した移動端末６０の呼び出しと第３の実施の形態で説明した移動端末６０の呼び出しを組み合わせた形態であるため説明は省略する。
【００２６】
◆［携帯電話の呼び出し］
一般電話１０から携帯電話６１を呼び出す方法は、第４の実施の形態でも第３の実施の形態と同じであるため説明は省略する。
【００２７】
また、本発明の実施の形態ではＡ氏が一般電話１０からＢ氏の所有する移動端末６０を呼び出してからＢ氏の所有する携帯電話６１を呼び出す例を説明したが、これに限定されず、Ａ氏が一般電話１０からＢ氏の所有する携帯電話６１を直接呼び出すこともできる。その場合には、Ａ氏がＢ氏の所有する携帯電話６１の電話番号をダイヤル（入力）した後、例えば１秒以内に＃をダイヤル（入力）すれば、制御装置３０はＢ氏の所有する移動端末６０を呼び出さず直接Ｂ氏の所有する携帯電話６１を呼び出すように予め制御装置３０に記憶させておく。
【００２８】
また、本発明の実施の形態で説明したように、制御装置３０は携帯電話６１より移動端末６０を優先して呼び出すため、例えば回線利用料が回線交換網２０＞通信網４０であれば、通話料金を安価にできる。
また、本発明の実施の形態で説明したように一般電話１０と移動端末６０との間で通話が成立すれば、従来例と比較して回線交換網２０を使用せずに電話網とは別の通信網４０のみの使用で通話が成立するため、回線交換網２０の回線利用料が発生することなく通信網４０の回線利用料のみでよく通話料金が安価となる。特に通信網４０の通信料金が電話網のように従量制でなく、定額制の場合はそうである。
また、本発明の実施の形態で説明したように、本発明ではＡ氏が一般電話１０からＢ氏の所有する所定の移動端末６０を呼び出す場合、Ａ氏は一般電話１０からＢ氏の所有する携帯電話６１の電話番号をダイヤル（入力）してＢ氏の所有する所定の移動端末６０を呼び出している。一方、従来例ではＢ氏の所有する所定の移動端末６０自身には所定の電話番号（例えば、０５０−○○○○−××××）を必要としており、Ａ氏は一般電話１０から前記所定の電話番号をダイヤル（入力）してＢ氏の所有する所定の移動端末６０を呼び出している。そのため本発明では、通信事業者は所定の移動端末６０に対し所定の電話番号を必要としておらず、所定の移動端末６０に対し新規に電話番号を付与しなくてもよいという効果を奏する。従って、通信事業者は、本発明の実施が容易であり、ネットワークを選ぶ番号、例えば０９０や０７０のような電話番号の上３桁の識別番号が公式に決まっていなくても本発明を実施できる。また、本発明では、移動端末に割り当てる電話番号が足らなくなり、過去にも例があったように電話番号の桁数を増やすなどの余計な手間が発生する恐れがない。
【００２９】
上述した内容は、あくまでも本発明の一実施の形態に関するものであって、本発明が上記内容に限定されることを意味するものではない。
本実施の形態で説明した、図１、図３、図４、図６に記すブロック図で一般電話１０と制御装置３０は別構成である例を説明したが、一体構成であっても構わない。
呼び出し側が応答しなかった場合、制御装置３０が行なう呼び出すべき端末の切り替えは、呼出回数（制御装置３０が受信する１単位の呼び出し音の回数）に基づくものでなく、呼び出し動作の実行時間に基づくものでもよい。
本実施の形態で説明した、図２、図５に記す登録情報の構成、項目、内容等は、これに限定されるものではない。
また本実施の形態で使用した数値は一例であり、この数値に限定されるものではない。
【００３０】
【発明の効果】
以上説明したように、本発明によれば、一般電話１０と移動端末６０との通話を、その移動端末６０以外の携帯電話６１に付されている電話番号の一般電話機１０への入力でもって手軽に安価な通信料でできると共に、その移動端末６０の呼び出しに応答が無ければ手間無く容易に他の移動端末６０または携帯電話６１への呼び出しに切り替える移動端末呼び出し方法及び装置を提供することができる。
【図面の簡単な説明】
【図１】本発明の第１の実施の形態について説明するブロック図である。
【図２】第１の実施の形態、第２の実施の形態の登録情報について説明する図である。
【図３】本発明の第２の実施の形態について説明するブロック図である。
【図４】本発明の第３の実施の形態について説明するブロック図である。
【図５】第３の実施の形態、第４の実施の形態の登録情報について説明する図である。
【図６】本発明の第４の実施の形態について説明するブロック図である。
【図７】従来例について説明するブロック図である。
【符号の説明】
１０    一般電話
２０    回線交換網
３０    制御装置
４０    通信網
５０、５１    中継局
６０    移動端末
６１    携帯電話
７０    管理装置
【図１】
2005012533.tif 000003
【図２】
2005012533.tif 000004
【図３】
2005012533.tif 000005
【図４】
2005012533.tif 000006
【図５】
2005012533.tif 000007
【図６】
2005012533.tif 000008
【図７】
2005012533.tif 000009